(57)【特許請求の範囲】
【請求項１】
留め金が閉位置にあるときにブレスレットの長さを調整することができるブレスレットの展開バックルを備えた留め金であって、前記留め金が、
第１の端部で互いに連接された第１と第２のリーフ（１，２）と、
前記第１のリーフ（１）の第２の端部に連接され、前記ブレスレットの第１の鎖に接続されるよう配置されたカバー（３）と、
前記ブレスレットの第２の鎖に接続するように前記第２のリーフ（２）の第２の端部に配置された可動端ピース（４）と、
前記ブレスレットの長さを調整するためのインデックス手段（５，５’，６，６’）と、
１つのインデックス位置から別の位置に前記可動端ピース（４）の移動を可能にするよう配置された解除手段（７，７’）とを具え、
前記第２のリーフ（２）が２つの直線レール（８，８’）で終端し、これに沿って前記可動端ピース（４）が摺動可能であり、
前記インデックス手段（５，５’，６，６’）が前記第２のリーフ（２）のレール（８，８’）の少なくとも１つにあり、
前記解除手段（７，７’）が前記可動端ピース（４）とともに移動するよう配置されていることを特徴とする留め金。
【請求項２】
請求項１に記載の留め金において、前記２つの直線レール（８，８’）が前記第２のリーフ（２）の側面に沿って配置されていることを特徴とする留め金。
【請求項３】
請求項１または２に記載の留め金において、前記可動端ピース（４）が２つの側面（４ａ，４ｂ）を具え、それぞれが前記第２のリーフ（２）の２つのレール（８，８’）の一方と他方の外側面に保持されたフランジ（４ｃ）を具え、前記可動端ピース（４）の各フランジ（４ｃ）が対応するレール（８，８’）に沿って摺動可能であることを特徴とする留め金。
【請求項４】
請求項３に記載の留め金において、前記インデックス手段（５，５’，６，６’）が２つのレール（８，８’）の少なくとも１つの内側面または前記レール（８，８’）の底面あるいは頂面に沿って配置された刻み目部分（５，５’）を具え、前記インデックス手段（５，５’，６，６’）がさらに前記可動端ピース（４）に固定された少なくとも１つの係止要素（６，６’）を具え、前記係止要素（６，６’）がインデックス位置で前記レール（８，８’）の刻み目部分（５，５’）に保持されるように復帰手段（９）に支配されており、前記ブレスレットの長さが調整されるときに前記可動端ピース（４）が１つのインデックス位置から別の位置に２つのレール（８，８’）に沿って移動するのを可能にするため、解除機構が作動されるときに前記係止要素（６，６’）が前記レール（８，８’）の前記刻み目部分（５）から解放されることを特徴とする留め金。
【請求項５】
請求項４に記載の留め金において、前記レールもしくは複数のレール（８，８’）の刻み目部分（５，５’）が鋸歯で作製された鋸歯要素である一方、対応する刻み目部分（５，５’）と接触するよう設計された前記係止要素（６，６’）の面が適合した形の歯を具え、前記鋸歯要素が方向づけた刻み目部分（５，５’）の鋸歯で作製されており、これにより解除機構（７，７’）を作動することなく、前記ブレスレットの長さを低減することができることを特徴とする留め金。
【請求項６】
請求項４または５に記載の留め金において、前記インデックス手段（５，５’，６，６’）が前記２つのレール（８，８’）の一方と他方の内側面に沿ってそれぞれ配置された第１と第２の刻み目部分（５，５’）と、前記対応するレール（８，８’）の各刻み目部分（５，５’）にそれぞれ接触するよう配置された２つの係止要素（６，６’）とを具えることを特徴とする留め金。
【請求項７】
請求項４，５または６の何れか１項に記載の留め金において、前記解除手段が可動要素（４）の一方と他方の側面（４ａ，４ｂ）のフランジ（４ｃ）にそれぞれ配置された第１と第２のボタン（７，７’）を具え、各ボタン（７，７’）が対応する係止要素（６，６’）に接続されており、スロット（１０）が前記第２のリーフ（２）の各レール（８，８’）に沿って配置され、これによりブレスレットの長さが調整されるときに前記ボタン（７，７’）がそれぞれのスロット（１０）に沿って摺動できることを特徴とする留め金。
【請求項８】
請求項１〜７の何れか１項に記載の留め金において、前記カバー（３）が前記留め金を掛けるための掛金手段を有し、前記掛金手段が前記留め金を開けるための前記カバー（３）の側面に配置された２つの更なるボタン（１２，１２’）と、各ボタン（１２，１２’）の底部に接続された湾曲部（１２ａ）とを具え、各湾曲部（１２ａ）が各レール（８，８’）の端部に配置された対応する部分（１６）の下に配置されるよう設計されていることを特徴とする留め金。
【請求項９】
請求項１〜８の何れか１項に記載の留め金において、前記可動端ピース（４）がスライドスルーアセンブリであり、前記ブレスレットの鎖の１つの穴の１つに挿入されるよう設計された舌部（１１）を具えることを特徴とする留め金。
【請求項１０】
請求項１〜８の何れか１項に記載の留め金において、前記可動端ピース（４）が前記ブレスレットの鎖の１つの第１の連結金具を形成することを特徴とする留め金。
【請求項１１】
請求項１〜１０の何れか１項に記載の留め金を具えるブレスレット。
【請求項１２】
請求項１１に記載のブレスレットを具える腕時計。
【発明の詳細な説明】
【技術分野】
【０００１】
本発明は、特に腕時計のブレスレットの分野に関する。本発明はさらに、特にブレスレットの長さを精密に調整することができる展開バックルを備えたブレスレットの留め金に関する。
【背景技術】
【０００２】
展開バックルを備えた留め金は、それらの審美的な外観で周知である。これらの留め金は大抵、連結金具で作製されたブレスレットに連結される。この場合、ブレスレットの長さは通常、着用者の手首のサイズによって１以上の連結金具を追加あるいは除去することによって小売業者で調整されている。この調整は通常最終的なものであり、外気熱および／または着用者によってなされた努力による手首の周囲長の違いを考慮していない。しかしながら、手首の寸法は気温が低いか、あるいは高いかによって変化するので、大抵その調整を行うことが必要であることが分かっている。できる限り調整を行わないと、夏の高温時にブレスレットが手首を締め付ける場合がある。逆に、冬には、この同じブレスレットが手首の周りで回転しがちである。
【０００３】
腕時計の着用者が状況に応じて数ミリメートルずつブレスレットの長さを自身で調整することができるシステムを備えた様々な腕時計バンドがある。このような留め金は特に、米国特許第５９２７５７７号明細書、特許第５９１０８４１１号公報、欧州特許第１７１６７７６号明細書、欧州特許第１３７８１８５号明細書、欧州特許第１９４３９１７号明細書、欧州特許第１９２０６７３号明細書、あるいは国際公開公報第２００８／０６４９３１号の刊行物に記載されている。
【０００４】
一実施例として、米国特許第５９２７５７７号明細書の刊行物に開示された装置は端部ピースを具えており、この端部の一方がブレスレットの鎖の１つの一方の端に連接され、端部ピースの他方端はその側面に沿って配置された様々な開口部で蓋の内側に配置可能なロッドを取り付けられる。この装置の主な欠点は、留め金を開けてブレスレットの長さを調整する必要があるという事実から生じている。
【０００５】
特許第５９１０８４１１号公報は展開バックルの留め金に関しており、２つのリーフが第１の端部で互いに連接した第１と第２のリーフと、第１のリーフの第２の端部で連接したカバーとを具えており、ブレスレットの第１の鎖にカバーが接続されている。実質的に矩形の開口部が第２のリーフの長手軸に沿って延在している。この開口部の長手面には、係止手段と接触するよう配置された刻み目部分が設けられており、係止手段が展開バックルの支持部に固定され、支持部はブレスレットの第２の鎖に接続されている。所望のインデックス位置でリーフ支持部に後者を係止するために、係止手段は、第２のリーフの開口部の各刻み目部分の切り込みの１つに配置されるよう設計された２つの係止要素を具えている。ブレスレットの長さを調整することができるように、係止手段はさらにボタンを具えており、この作動により対応する刻み目部分から各係止要素を解放させることができる。リーフ支持部に対して別のインデックス位置に第２のリーフを係止するため、もはやボタンを作動しない場合、各係止要素は一方と他方の刻み目部分の別の切り込みに配置される。米国特許第５９２７５７７号明細書の刊行物のように、留め金を開いてブレスレットの長さを調整する必要があり、これが取り扱いを複雑にしている。
【０００６】
欧州特許第１７１６７７６号明細書は、ブレスレットの長さを調整する装置を開示しており、これは特に上述した問題を改善するよう設計されている。この装置は蓋を具えており、この内部でブレスレットの一方端に連接された端部ピースが摺動することができる。この端部ピースは、解除機構と接触する位置に事前配置し係止するための手段を具えており、ブレスレットを無理に開くことなく、ブレスレットの長さを調整することができる。欧州特許第１７１６７７６号明細書の教示によれば、この調整装置は連結金具を備えた剛体のブレスレットに取り付けるよう設計されており、ここではその端部が展開可能な連接リーフを備えた留め金に取り付けられている。したがって、この装置は革あるいは別の柔軟な材料で作製したブレスレットには適しておらず、ここではその鎖の１つが舌部が設けられたスライドスルーアセンブリに配置されるよう設計されており、ブレスレットの長さを大雑把に調整する。
【０００７】
欧州特許第１３７８１８５号の刊行物は、上述した問題を解決する２つのリーフを備えた展開バックルの留め金を提案している。この留め金の２つのリーフはそれらの端部の一方に互いに連接されているが、それらの端部の他方はブレスレットの鎖の一方に接続されたカバーと、ブレスレットの鎖の他方に接続された可動端ピースとにそれぞれ接続されている。可動端ピースは受け口の内側に配置され、この内側にブレスレットの長さを調整するためのインデックス手段が組み込まれている。これらのインデックス手段は２つの係止要素を具えており、受け口の内側壁に沿った鋸歯形の刻み目部分とそれぞれ接触するよう配置されている。受け口の外側壁に配置された２つのボタンにより、それらを作動したときに刻み目部分から係止要素を解放させ、ブレスレットの長さを調整することができる。
【発明の概要】
【０００８】
本発明の目的は、様々なタイプのブレスレットの伸展性留め金を提案することであり、これは留め金が閉位置にあるときにブレスレットの長さを精密に調整できるという利点を有し、連結ブレスレットあるいは革製ブレスレットに容易に取り付けるよう適合することができる。
【０００９】
本発明によれば、この目的がブレスレットの展開バックルを備えた留め金によって達成され、留め金が閉位置にあるときにブレスレットの長さを調整することができる。この目的のため、留め金は、第１の端部で互いに連接された第１と第２のリーフと、第１のリーフの第２の端部に連接され、ブレスレットの第１の鎖に接続されるよう配置されたカバーと、ブレスレットの第２の鎖に接続するために第２のリーフの第２の端部に配置された可動端ピースと、ブレスレットの長さを調整するためのインデックス手段と、１つのインデックス位置から別の位置へ可動端ピースの動作を可能にするよう配置された解除手段とを具える。第２のリーフは２つの直線レールで終端し、これに沿って可動端ピースが摺動することができる。インデックス手段は第２のリーフの複数のレールの少なくとも１つにある一方、解除手段は１つのインデックス位置から別の位置へ可動端ピースとともに移動するよう配置されている。
【００１０】
この留め金の特徴は、単純で、審美的で、確かな構成という利点を得ることができるとともに、即時で、満足のいく、精密な長さ調整を可能にすることである。
【００１１】
さらに、可動端ピースは舌部が設けられたスライドスルーアセンブリで構成されていることが有利であり、これにより革あるいは別の柔軟な材料で作製されたブレスレットの鎖の１つを受け取るか、連結ブレスレットの連結金具の１つを形成する。
【図面の簡単な説明】
【００１２】
本発明の特徴は、以下の概略図を参照することによって、全く限定しない単なる実施例として与えられた好適な実施形態の記載を読むことでより明確に認められる。
【図１】図１は、本発明の好適な実施形態に応じて腕時計バンドの展開バックルを備えた留め金の分解図である。
【図２】図２は、図１の留め金の遠近図である。
【図３】図３は、掛けた留め金の側面図であり、ここでは可動端ピースが第１のインデックス位置にある。
【図４】図４は、掛けた留め金の側面図であり、ここでは可動端ピースが第２のインデックス位置にある。
【図５】図５は、所定の位置の留め金の側面図であり、ここではリーフが部分的に展開されている。
【発明を実施するための形態】
【００１３】
図１〜図５により示した本発明の好適な実施形態によれば、展開バックルの留め金が第１の端部で互いに連接された第１と第２のリーフ１，２を具える。カバー３は、その一方で、第１のリーフ１の第２の端部に連接されており、ブレスレットの第１の鎖に接続するよう配置されている。第２のリーフ２の第２の端部は２つの直線レール８，８’（図２）で終端し、これは第２のリーフの側面の外延に配置されている。図２を参照すると、ブレスレットの第２の鎖に接続するよう設計された可動端ピース４は２つの側面４ａ，４ｂを具えており、それぞれが第２のリーフ２の２つのレール８，８’の一方と他方の外側面に保持されたフランジ４ｃを具えている。可動端ピース４の各フランジ４ｃは、対応するレール８，８’に沿って摺動可能である。
【００１４】
ブレスレットの長さを調整するためのインデックス手段５，５’，６，６’と解除手段７，７’とは、可動端ピース４が１つのインデックス位置から別の位置に動くことができるよう配置されている。インデックス手段５，５’，６，６’は、２つのレール８，８’のそれぞれの内側面に沿って配置された刻み目部分５，５’（図１および図２）と、可動端ピース４に固定された２つの係止要素６，６’とを具える。各係止要素６，６’は復帰手段９に固定されており、これによりインデックス位置で各直線レール８，８’の刻み目部分５，５’に保持される。刻み目部分５，５’は鋸歯状の外形を有することが好ましく、一方で適合する形の歯が係止要素６，６’の面に切り込まれており、適切な刻み目部分５，５’に接触するよう設計されている。これらの２つの係止要素６，６’の各歯が復帰手段９の動作で各刻み目部分５，５’の切り込みの１つに挿入されるとき、位置が割り出される。
【００１５】
図１によれば、解除手段は２つのボタン７，７’を具えており、各々は可動要素４のフランジ４ｃにあるハウジング９ａの内側に配置されている。第２のリーフ２の２つの直線レール８，８’にはそれぞれ一方と他方のボタン７，７’によって横断される直線スロット１０が設けられており、これにより各ボタンが対応する係止要素６，６’に接続される。可動端ピース４の２つのボタン７，７’の同時押圧により、レール８，８’の長手軸に垂直な方向に各係止要素６，６’を移動させることができる。この時、各係止要素６，６’の歯が対応する刻み目部分５，５’から解放され、可動要素４が再び２つのレール８，８’から分離される。次いで、それは１つのインデックス位置から別の位置へこれらのレール８，８’に沿って自由に摺動することができる一方、各ボタン７，７’は直線スロット１０に沿って摺動する。もはやボタンが操作されない場合、復帰手段９により所望のインデックス位置で係止要素６，６’に再び係合させることができる。
【００１６】
鋸歯状の鋸歯要素の方向により、２つのボタン７，７’を作動することなく、ブレスレットの長さを短くすることができることに注意されたい。復帰手段９によって係止要素６，６’に加えられた力に打ち勝つためには、ブレスレットの長手軸に沿って力を加えれば十分である。この実施形態では、各フランジ４ｃのハウジング９ａ内の各ボタン７，７’本体の何れかの側面に配置された２つのコイルばね９で復帰手段が構成されている。
【００１７】
この実施形態では、可動端ピース４がスライドスルーアセンブリであり、ブレスレットの鎖の１つの穴の１つに挿入されるよう設計された舌部１１を具える。図示しない変形例では、端部ピース４が連結ブレスレットの鎖の１つの第１の連結金具を構成するように構成される。
【００１８】
図１によれば、２つの更なるボタン１２，１２’がカバー３の下に互いに対向して配置されており、それらはカバー３の外側壁にある矩形開口部１３を通って突出する。２つのコイルばね１４，１４’が２つのボタン１２，１２’の間に取り付けられており、これにより後者は復帰力に支配されている。ガイド要素１５は、カバー３内に閉じ込められたボタン１２，１２’とスプリング１４，１４’とを保持するためにカバー３の下にねじ留めされており、それらを作動するときにボタン１２，１２’の直線移動を可能にするようにガイド要素１５の形状が規定されている。各ボタン１２，１２’はその下にボタンの直線移動に垂直な平面で方向づけた矩形部分を有し、その端部１２ａが湾曲されており、これにより２つのレール８，８’の端部にある溝１６にそれらの底部部分が配置される。さらに、各湾曲部の底部部分は水平面に対して４５度の斜面を具えており、これによりカバー３を押下することによって留め金を閉じることができる。より正確には、各斜面が２つのレール８，８’の各端部の頂部に接触し、かつ圧力がカバー３に加えられるとき、各湾曲部１２ａの側方移動をもたらし、これにより各溝１６の高さに持って来る。次いで、各湾曲部１２ａがスプリング１４，１４’の動作で移動し、それらの各溝１６に対して上がり、レール８，８’の頂部がストッパとして作用し、これにより留め金を掛ける。その一方、２つのボタン１２，１２’が同時に押圧されると留め金が開く。
【００１９】
インデックス手段５，５’，６，６’は２つのレール８，８’の内側面ではなく、それらの頂面もしくは底面に沿って配置することができる。この構成では、係止要素６，６’がレール８，８’の頂部あるいは底部部分に沿って摺動することができるように配置される。
【００２０】
最後に、このブレスレットの留め金は、腕時計に関する用途に特に適合されているが、同様に手首に着ける任意のその他の物に用いてもよい。
【図１】
0005839498.tif 000002
【図２】
0005839498.tif 000003
【図３】
0005839498.tif 000004
【図４】
0005839498.tif 000005
【図５】
0005839498.tif 000006